(57)【要約】  吸込口及び吹出口が形成されたパネルと、パネルの吹出口の周縁部に設けられ、パネルの吹出口内へ突出し、先端に溝部が形成されたアーム部と、外周がアーム部の溝部に固定されるスリーブと、スリーブに回動自在に接続される風向板とを備え、風向板は、背面からパネル側に突出した第１リブと、第１リブの側壁から突出し、スリーブが挿入された回転軸部とを有し、スリーブは、回転軸部を回動自在に挿入する円筒部と、円筒部の両端に設けられたフランジ部とを有する空気調和機。
2017158810.tif 000002
【特許請求の範囲】
【請求項１】
吸込口及び吹出口が形成されたパネルと、
前記パネルの前記吹出口の周縁部に設けられ、前記パネルの前記吹出口内へ突出し、先端に溝部が形成されたアーム部と、
外周が前記アーム部の前記溝部に固定されるスリーブと、
前記スリーブに回動自在に接続される風向板と、
を備え、
前記風向板は、
背面から前記パネル側に突出した第１リブと、
前記第１リブの側壁から突出し、前記スリーブが挿入された回転軸部と、
を有し、
前記スリーブは、
前記回転軸部を回動自在に挿入する円筒部と、
前記円筒部の両端に設けられたフランジ部と、
を有する空気調和機。
【請求項２】
前記風向板は、
前記第１リブの側壁から前記回転軸部の突出方向に離れた位置に設けられ、背面から前記パネル側に突出した第２リブを有し、
前記フランジ部は、
前記第１リブと摺動する第１フランジ部と、
径が前記第１フランジ部より大きく、前記第２リブと摺動する第２フランジ部と、
を有し、
前記第２フランジ部は、外周縁に前記第２リブとの接触を回避する切り欠き部を有する請求項１に記載の空気調和機。
【請求項３】
前記スリーブは、前記アーム部の回転移動を規制する突起を有する請求項１又は２に記載の空気調和機。
【請求項４】
前記突起は、前記第２フランジ部の内周に設けられる請求項３に記載の空気調和機。
【請求項５】
前記スリーブは、摺動抵抗の少ない樹脂、金属若しくはセラミックで形成されている請求項１〜４のいずれか一項に記載の空気調和機。
【発明の詳細な説明】
【技術分野】
【０００１】
本発明は、空気調和機の風向板の支持機構に関するものである。
【背景技術】
【０００２】
従来の空気調和機は、筐体の空気吹出口の周縁に風向板を支持する機構を設けている。この風向板を支持する機構は、筐体又は風向板の一方が回転軸を備え、他方が筐体と風向板を支持するアームを備えており、アームに備わる軸受を回転軸に引掛けて風向板を支持する構造となっている。また、風向板の軸受が、空気調和機が備える回転軸から軸方向に抜けることを防止する為に、風向板の軸受に空気調和機が備える回転軸からの抜け落ちを防止する板を設けている（例えば、特許文献１参照）。
【先行技術文献】
【特許文献】
【０００３】
【特許文献１】特開２００８−１０６９５１号公報
【発明の概要】
【発明が解決しようとする課題】
【０００４】
特許文献１のような空気調和機は、風向板が長時間連続的にスイング動作すると、風向板の軸受と筐体の回転軸とが摺動し、異音及び摩耗による粉吹きが発生する。また、軸受の軸方向の移動を抑制する抜け落ち防止板と軸受とが摺動することで異音や摩耗による粉吹きが発生する。【０００５】
本発明は、上記のような課題を解決するためのもので、風向板と筐体とにおいて、異音及び摩耗による粉吹きの発生を生じさせない風向板の支持機構を備える空気調和機を提供することを目的としている。
【課題を解決するための手段】
【０００６】
本発明に係る空気調和機は、吸込口及び吹出口が形成されたパネルと、パネルの吹出口の周縁部に設けられ、パネルの吹出口内へ突出し、先端に溝部が形成されたアーム部と、外周がアーム部の溝部に固定されるスリーブと、スリーブに回動自在に接続される風向板とを備え、風向板は、背面からパネル側に突出した第１リブと、第１リブの側壁から突出し、スリーブが挿入された回転軸部とを有し、スリーブは、回転軸部を回動自在に挿入する円筒部と、円筒部の両端に設けられたフランジ部とを有するものである。
【発明の効果】
【０００７】
本発明に係る空気調和機は、円筒部の両端にフランジ部を有するスリーブを備えることにより、アーム部が、回転軸部、第１リブ及び第２リブと摺動するのを防止し、風向板のスイング動作により生じる異音や摩耗による粉吹きを抑制することができる。
【図面の簡単な説明】
【０００８】
【図１】本発明の実施の形態１に係る空気調和機を示す斜視図である。
【図２】本発明の実施の形態１に係る空気調和機の風向板支持機構を示す斜視図である。
【図３】本発明の実施の形態１に係る空気調和機の風向板のアーム部を示す斜視図である。
【図４】本発明の実施の形態１に係る空気調和機のスリーブを示す斜視図である。
【図５】本発明の実施の形態１に係る空気調和機の風向板の拡大図である。
【図６】本発明の実施の形態１に係る空気調和機の風向板支持機構の拡大図である。
【図７】本発明の実施の形態２に係る空気調和機のスリーブを示す正面方向の斜視図である。
【図８】本発明の実施の形態２に係る空気調和機のスリーブを示す背面方向の斜視図である。
【図９】本発明の実施の形態２に係る空気調和機のスリーブの挿入を示す斜視図である。
【図１０】本発明の実施の形態３に係る空気調和機のスリーブを示す正面方向の斜視図である。
【図１１】本発明の実施の形態３に係る空気調和機のスリーブを示す背面方向の斜視図である。
【図１２】本発明の実施の形態３に係る空気調和機のスリーブの挿入を示す斜視図である。
【図１３】本発明の実施の形態３に係る空気調和機の取付け前のアーム部と風向板とを示す斜視図である。
【図１４】本発明の実施の形態３に係る空気調和機の取付け後のアーム部と風向板とを示す斜視図である。
【図１５】本発明の実施の形態３に係る空気調和機のスリーブを示す他の例の正面方向の斜視図である。
【発明を実施するための形態】
【０００９】
実施の形態１．
図１は、本発明の実施の形態１に係る空気調和機を示す斜視図である。空気調和機１は、例えば天井埋込型の室内機であって、室内機本体２と、室内機本体２の内部の熱交換器と、熱交換器に室内空気を送るファンとを備える。室内機本体２は、正面にパネル２ａを有し、パネル２ａには空気を吹き出す横方向に長い吹出口３が設けられている。
【００１０】
図２は、本発明の実施の形態１に係る空気調和機の風向板支持機構を示す斜視図である。パネル２ａは、本体の側面の縁部に吹出口形成ユニット２ｂを有する。吹出口形成ユニット２ｂは、室内機本体２から吹き出される空気の向きを調整する機構である。空気調和機１は、吹出口形成ユニット２ｂから吹出口３へ突出し、先端に溝部が形成されたアーム部５と、アーム部５の溝部に接続されるスリーブ６と、スリーブ６に回動自在に接続される風向板７とを備える。風向板７は、吹出口３を横断するように横方向に長く、一端が吹出口形成ユニット２ｂに回動自在に保持され、他端が吹出口形成ユニット２ｂの側面に設けられたモータ等からなる風向板駆動機構４に接続される。風向板７は、風向板駆動機構４の駆動により矢印Ｒに回動する。
【００１１】
図３は、本発明の実施の形態１に係る空気調和機の風向板のアーム部を示す斜視図である。アーム部５は、吹出口３の内部に設けられ、吹出口形成ユニット２ｂの縁部から直立して突出する。アーム部５は、板状の部材で、基部から先端に向けてテーパー状に形成され、先端には溝部８が形成されている。溝部８は、環状の一部が切り欠かれた形状に形成されている。すなわち、溝部８は、フック形状に形成されている。溝部８の板幅Ｗは、円筒部９における両フランジ部間の幅より小さい。
【００１２】
図４は、本発明の実施の形態１に係る空気調和機のスリーブを示す斜視図である。アーム部５の溝部８が、スリーブ６の外周に固定される。スリーブ６は、中空部１５に回転軸部１３を回動自在に挿入する円筒部９を有する。円筒部９の両端には第１フランジ部１０及び第２フランジ部１１が設けられている。第１フランジ部１０と第２フランジ部１１との間の幅Ｄ２は、溝部８の板幅Ｗ以上の大きさならばよく、第１フランジ部１０及び第２フランジ部１１の側壁が溝部８の板の側面に接する幅であることが望ましい。溝部８を、スリーブ６に固定するためである。図４では、第２フランジ部１１の径の大きさは、第１フランジ部１０の径の大きさより大きい。なお、第１フランジ部１０及び第２フランジ部１１の径の大きさは任意であり、同じ大きさであってもよく、第１フランジ部１０が大きい形状であってもよい。スリーブ６は、摺動性のよい材料から作成されることが望ましく、例えば、ポリアセタールやポリプロピレン等の樹脂、金属若しくはセラミックなどから形成される。
【００１３】
図５は、本発明の実施の形態１に係る空気調和機の風向板の拡大図である。風向板７は、背面からパネル２ａ側に突出した第１リブ１２と、第１リブ１２の側壁から突出した回転軸部１３と、第１リブの側壁から回転軸部１３の突出方向に離れた位置に設けられ、背面からパネル２ａ側に突出した第２リブとを有する。第１リブ１２と第２リブ１４との間にスリーブ６が挿入されている。第１リブ１２と第２リブ１４は、風向板７本体から突出した略三角形の形状を有する。第１リブ１２の突出方向の大きさは、風向板７本体と回転軸部１３との距離が、スリーブ６の半径よりも大きくなるように形成される。アーム部５の溝部８がスリーブ６の半径からはみ出る場合は、風向板７と回転軸部１３との距離が、アーム部５のはみ出た部分よりも大きくなるように形成される。第１リブ１２の側壁は、回転軸部１３が設けられた側の壁面と風向板７との角度が、アーム部５に干渉しない角度に形成される。回転軸部１３は、第１リブ１２の側壁から突出し、風向板７と回転軸部１３との距離が、スリーブ６の半径よりも大きくなる位置に設けられる。回転軸部１３は、中実又は中空の円柱である。第２リブ１４の突出方向の大きさは、側壁が第２フランジ部１１と摺動する位置までの大きさを必要とする。第２リブ１４の側壁は、回転軸部１３が設けられた壁面と風向板７との角度が、アーム部５に干渉しない角度に形成される。
【００１４】
図６は、本発明の実施の形態１に係る空気調和機の風向板支持機構の拡大図である。アーム部５の先端の溝部８は、スリーブ６の円筒部９の外周に固定される。スリーブ６は、円筒部９と、円筒部９の両端に第１フランジ部１０及び第２フランジ部１１を有する。スリーブ６は、円筒部９が、回転軸部１３に回動自在に挿入される。
【００１５】
風向板７は、第１リブ１２と第２リブ１４とを有する。第１リブ１２と第２リブ１４は、スリーブ６の回転軸部１３上での軸方向の移動を規制するものである。第１リブ１２と第２リブ１４との幅Ｌは、幅Ｄ１以上の大きさならばよく、幅Ｄ１に接触するほうが望ましい。あるいは、幅Ｄ１は、幅Ｌ以下の大きさならばよく、幅Ｌに接触するほうが望ましい。第１リブ１２は、側壁に回転軸部１３を有する。なお、溝部８と円筒部９との接続は、固定されて接続されるのが望ましく、例えば、接着されてもよい。
【００１６】
次に風向板の支持機構の動作について図６に基づき説明する。風向板７が、風向板駆動機構４の駆動により回動する。風向板７の回動に伴い、回転軸部１３がスリーブ６の円筒部９の内部で回動する。アーム部５の溝部８が、スリーブ６の外周に固定されている。また、アーム部５は、パネル２ａに固定されている。そのため、風向板７の回動時、スリーブ６の内周側と回転軸部１３の外周側とが摺動する。また、スリーブ６の第１フランジ部１０と第１リブ１２とが摺動し、第２フランジ部１１と第２リブ１４とが摺動する。
【００１７】
以上のように、空気調和機１は、風向板７の回転軸部１３とアーム部５の溝部８との間にスリーブ６を備える。スリーブ６の円筒部９は、フック形状のアーム部５とは異なり、断面円形状を有しているため、中空部１５と回転軸部１３とが滑りやすくなる。また、フランジ形状の平面が、第１リブ１２及び第２リブ１４の平板と摺動するため滑りやすくなる。そのため、風向板のスイング動作により生じる異音や摩耗による粉吹きを抑制することができる。すなわち、従来は、フックの先端と、回転軸及びリブとの接触部に力が集中して回転軸やリブが削れやすい。これに対し、フランジを有するスリーブを用いることで、スリーブの中空部の面と回転軸の面とが摺動し、また、フランジの面とリブの面とが摺動することで、接触面で力が分散して回転軸やリブは削れにくい。したがって、風向板のスイング動作により生じる異音や摩耗による粉吹きを抑制することができる。
【００１８】
また、スリーブ６が摺動性のよい材料で形成されているので、中空部１５と回転軸部１３とが滑りやすくなる。同様に、第１フランジ部１０と第１リブ１２とが滑りやすくなり、第２フランジ部１１と第２リブ１４とが滑りやすくなる。そのため、風向板のスイング動作により生じる異音や摩耗による粉吹きを抑制することができる。
【００１９】
実施の形態２．
図７は、本発明の実施の形態２に係る空気調和機のスリーブを示す正面方向の斜視図である。図８は、本発明の実施の形態２に係る空気調和機のスリーブを示す背面方向の斜視図である。図１〜図６の空気調和機と同一の構成を有する部位には同一の符号を付してその説明を省略する。実施の形態１では、スリーブの一端にフランジ部が設けられたものであるが、次にフランジ部に切り欠きが設けられた場合を実施の形態２として説明する。
【００２０】
スリーブ１０６の第２フランジ部１１１は、外周縁に切り欠き部１１２を有する。切り欠き部１１２の大きさは、第２リブ１４の形状に則し、スリーブ１０６を回転軸部１３に挿入する時に第２リブ１４と干渉しない大きさに切り欠かれている。
【００２１】
図９は、本発明の実施の形態２に係る空気調和機のスリーブの挿入を示す斜視図である。矢印は、スリーブ１０６の挿入方向である。スリーブ１０６を風向板７に取付ける際には、スリーブ１０６の有する第２フランジ部１１１の切り欠き部１１２を風向板７の有する第２リブ１４の位置に合わせ、回転軸部１３に挿入する。その後、スリーブ１０６を回転させることにより、スリーブ１０６の有する第２フランジ部１１１と風向板７の有する第２リブ１４が重なり、スリーブ１０６が外れない構造となる。
【００２２】
スリーブ１０６に切り欠き部１１２を設けることにより、スリーブ１０６を回転軸部１３へ挿入するときに、第２リブ１４が切り欠き部１１２を通過する。そのため、スリーブ１０６は、回転軸部１３へ容易に挿入することができる。また、実施形態１と同様に、風向板のスイング動作により生じる異音や摩耗による粉吹きを抑制することができる。
【００２３】
実施の形態３．
図１０は、本発明の実施の形態３に係る空気調和機のスリーブを示す正面方向の斜視図である。図１１は、本発明の実施の形態３に係る空気調和機のスリーブを示す背面方向の斜視図である。図１〜図６の空気調和機と同一の構成を有する部位には同一の符号を付してその説明を省略する。実施の形態１では、スリーブの一端にフランジ部が設けられたものであるが、次にフランジ部の側壁に突起が設けられた場合を実施の形態３として説明する。
【００２４】
スリーブ２０６は、中空部２１５に回転軸部１３を回転自在に挿入する円筒部２０９を有する。円筒部２０９の両端には第１フランジ部２１０及び第２フランジ部２１１が設けられている。第２フランジ部２１１は、内周に第１フランジ部２１０に向かって突起２１３を有する。突起２１３の役割は、円筒部２０９に固定する溝部８の周方向の動きを規制するものである。図１０及び図１２では、突起２１３は、円筒部２０９の外周面から第２フランジ部２１１の周縁に延びる２つの対向する略直方体の形状である。突起２１３は、溝部８の周方向の動きを規制するものであればよく、例えば、円筒部２０９の外周面から第２フランジ部２１１の周縁に延びる周方向に幅広の１本の略直方体や、立方体の形状であってもよい。また、突起２１３は、かならずしも、円筒部２０９の外周面に接していなくてもよい。更に、突起２１３は、第２フランジ部２１１と一体成形されたものでも、個別の部品として第２フランジ部に接続されたものでもよい。
【００２５】
図１２は、本発明の実施の形態３に係る空気調和機のスリーブの挿入を示す斜視図である。スリーブ２０６を風向板７に取付ける際には、スリーブ２０６の有する第２フランジ部２１１の切り欠き部２１２を風向板７の有する第２リブ１４の位置に合わせ、回転軸部１３に挿入する。その後、スリーブ２０６を矢印方向に回転させることにより、スリーブ２０６の有する第２フランジ部２１１と風向板７の有する第２リブ１４が重なり、スリーブ２０６が外れない構造となる。
【００２６】
図１３は、本発明の実施の形態３に係る空気調和機の取付け前のアーム部と風向板とを示す斜視図である。図１４は、本発明の実施の形態３に係る空気調和機の取付け後のアーム部と風向板とを示す斜視図である。風向板７は、第１リブ１２と第２リブ１４とを有する。第１リブ１２の側壁に設けられた回転軸部１３は、スリーブ２０６の円筒部２０９の内周側に接続される。アーム部５の溝部８は、スリーブ２０６の円筒部２０９の外周に固定される。溝部８を形成するアーム部５の一端の第１接続部２１６と他端の第２接続部２１７とは、スリーブ２０６の突起２１３に当たる。
【００２７】
スリーブ２０６の有する突起２１３が、溝部８を形成するアーム部５の一端の第１接続部２１６と他端の第２接続部２１７とに当たることで、アーム部５とスリーブ２０６の周方向の移動を規制することができる。そのため、スリーブ２０６と溝部８の摺動による異音や摩耗による粉吹きを抑えることができる。また、スリーブ２０６の切り欠き穴の位置と第２リブ１４との位置が重なることを防ぐことができる。また、実施形態１と同様に、風向板のスイング動作により生じる異音や摩耗による粉吹きを抑制することができる。
【００２８】
図１５は、本発明の実施の形態３に係る空気調和機のスリーブを示す他の例の正面方向の斜視図である。スリーブ３０６は、第２フランジ部２１１に切り欠き部は設けられていない。実施形態３は、スリーブ３０６のように、切り欠き部２１２が設けられていない形状であってもよい。
【００２９】
なお、本発明の実施の形態は、上記実施の形態１〜３に限定されず、種々の変更を加えることができる。例えば、図２では、アーム部は１つ設けられているが、複数設けられていてもよい。また、アーム部の溝は先端がスリーブに引っ掛かる構造であればよく、例えばＣ字状やＵ字状に形成されてもよい。また、スリーブのフランジ部は円筒部と一体成形されたものでもよく、分割されたものを円筒部に組み合わせたものでもよい。
【符号の説明】
【００３０】
１  空気調和機、２  室内機本体、２ａ  パネル、２ｂ  吹出口形成ユニット、３  吹出口、４  風向板駆動機構、５  アーム部、６  スリーブ、７  風向板、８  溝部、９  円筒部、１０  第１フランジ部、１１  第２フランジ部、１２  第１リブ、１３  回転軸部、１４  第２リブ、１５  中空部、１０６  スリーブ、１１１  第２フランジ部、１１２  切り欠き部、２０６  スリーブ、２０９  円筒部、２１０  第１フランジ部、２１１  第２フランジ部、２１２  切り欠き部、２１３  突起、２１５  中空部、２１６  第１接続部、２１７  第２接続部、３０６  スリーブ。
【図１】
2017158810.tif 000003
【図２】
2017158810.tif 000004
【図３】
2017158810.tif 000005
【図４】
2017158810.tif 000006
【図５】
2017158810.tif 000007
【図６】
2017158810.tif 000008
【図７】
2017158810.tif 000009
【図８】
2017158810.tif 000010
【図９】
2017158810.tif 000011
【図１０】
2017158810.tif 000012
【図１１】
2017158810.tif 000013
【図１２】
2017158810.tif 000014
【図１３】
2017158810.tif 000015
【図１４】
2017158810.tif 000016
【図１５】
2017158810.tif 000017
【手続補正書】
【提出日】平成30年6月6日(2018.6.6)
【手続補正１】
【補正対象書類名】明細書
【補正対象項目名】０００６
【補正方法】変更
【補正の内容】
【０００６】
本発明に係る空気調和機は、吹出口が形成されたパネルと、パネルの吹出口の周縁部に設けられ、パネルの吹出口内へ突出し、先端に溝部が形成されたアーム部と、外周がアーム部の溝部に固定されるスリーブと、スリーブに回動自在に接続される風向板とを備え、風向板は、背面からパネル側に突出した第１リブと、第１リブの側壁から突出した回転軸部と、第１リブの側壁から回転軸部の突出方向に離れた位置に設けられ、背面からパネル側に突出した第２リブと、を有し、スリーブは、回転軸部を回動自在に挿入する円筒部と、円筒部の両端に設けられたフランジ部と、を有し、フランジ部は、第１リブと摺動する第１フランジ部と、径が第１フランジ部より大きく、第２リブと摺動する第２フランジ部と、を有し、第２フランジ部は、外周縁に第２リブとの接触を回避する切り欠き部を有するものである。
【手続補正２】
【補正対象書類名】特許請求の範囲
【補正対象項目名】全文
【補正方法】変更
【補正の内容】
【特許請求の範囲】
【請求項１】
吹出口が形成されたパネルと、
前記パネルの前記吹出口の周縁部に設けられ、前記パネルの前記吹出口内へ突出し、先端に溝部が形成されたアーム部と、
外周が前記アーム部の前記溝部に固定されるスリーブと、
前記スリーブに回動自在に接続される風向板と、
を備え、
前記風向板は、
背面から前記パネル側に突出した第１リブと、
前記第１リブの側壁から突出した回転軸部と、
前記第１リブの側壁から前記回転軸部の突出方向に離れた位置に設けられ、背面から前記パネル側に突出した第２リブと、
を有し、
前記スリーブは、
前記回転軸部を回動自在に挿入する円筒部と、
前記円筒部の両端に設けられたフランジ部と、
を有し、
前記フランジ部は、
前記第１リブと摺動する第１フランジ部と、
径が前記第１フランジ部より大きく、前記第２リブと摺動する第２フランジ部と、
を有し、
前記第２フランジ部は、外周縁に前記第２リブとの接触を回避する切り欠き部を有する
空気調和機。
【請求項２】
前記スリーブは、前記アーム部の周方向の移動を規制する突起を有し、
前記突起は、前記第２フランジ部の内周に設けられる
請求項１に記載の空気調和機。
【請求項３】
前記スリーブは、ポリアセタールもしくはポリプロピレンで形成されている請求項１又は２に記載の空気調和機。
【国際調査報告】
2017158810.tif 000018
2017158810.tif 000019
2017158810.tif 000020
2017158810.tif 000021